(57)【要約】【課題】  電通ラインに不具合があるか否かを簡易に判別する。【解決手段】  地上放送受信アンテナ１４の受信信号はＬＰＦ１２ｄの一端に、入力端子１２ｂに供給された衛星放送受信信号はＨＰＦ１２ｅの一端に供給されて混合され、ＬＰＦ１２ｄとＨＰＦ１２ｅとの接続点から出力された混合信号は出力端子１２ｃから出力される。出力端子１２ｃに供給された電源電圧は電通ラインにより入力端子１２ｂから出力される。電通ラインにパイロットランプ１２ａが接続されており、電源電圧が出力端子１２ｃに供給された際に、パイロットランプ１２ａが点灯する。【選択図】  図４
2015046700.tif 000002
【特許請求の範囲】
【請求項１】
アンテナが内蔵されている筐体と、
該筐体に設けられており、入力端子と出力端子とパイロットランプとを有し、前記アンテナの受信信号と、前記入力端子に供給された外部アンテナの受信信号とを混合して前記出力端子から出力する混合回路部と、
前記出力端子に供給された電源電圧が、前記入力端子から出力される電通ラインとを備え、
前記電通ラインに前記パイロットランプが接続されており、前記電源電圧が前記出力端子に供給された際に、前記パイロットランプが点灯することを特徴とする受信アンテナ。
【請求項２】
前記アンテナの受信信号が増幅部で増幅されて前記混合回路部に供給されることを特徴とする請求項１記載の受信アンテナ。
【発明の詳細な説明】
【技術分野】
【０００１】
本発明は、内蔵されているアンテナの受信信号と、外部の受信アンテナで受信された受信信号とを混合する混合回路部を内蔵する受信アンテナに関する。
【背景技術】
【０００２】
地上デジタルテレビ放送を受信したい場合は、地上放送受信アンテナを設置することになるが、従来の地上放送受信アンテナとして、八木アンテナや薄型アンテナが知られている。また、地上デジタルテレビ放送と衛星放送とを受信したい場合は、地上放送受信アンテナに加えて衛星放送受信用アンテナが設置される。地上放送受信アンテナの受信信号と、衛星放送受信用アンテナの受信信号は、混合回路において混合されて、１本のケーブルにより建物内に引き込まれ、テレビやレコーダに入力される。薄型アンテナで構成される地上放送受信アンテナは筐体を備えており、筐体内に薄型アンテナが収納される収納空間がある。そこで、上記した混合回路部を別途設けることに替えて、薄型アンテナが収納される地上放送受信アンテナの筐体に混合回路部を内蔵した地上放送受信アンテナが非特許文献１，２に開示されている。
【先行技術文献】
【非特許文献】
【０００３】
【非特許文献１】日本アンテナ株式会社  屋外用フラット型ＵＨＦアンテナＵＤＭＦ６２／ＵＤＭＦ６２Ａカタログ  p.2  平成16年12月印刷
【非特許文献２】日本アンテナ株式会社  屋外用フラット型ＵＨＦアンテナＵＤＭＦ６２／ＵＤＭＦ６２Ａ取扱説明書  p.3,6  平成16年5月
【発明の概要】
【発明が解決しようとする課題】
【０００４】
ところで、衛星放送受信用アンテナは衛星放送の受信信号の周波数を中間周波数に変換して出力するコンバータを備えており、コンバータを動作させるための電源が必要とされている。この電源は、衛星放送の受信信号が供給されるテレビやレコーダから受信信号が伝達される同軸ケーブルを利用して衛星放送受信用アンテナに給電される。この給電される経路を「電通ライン」と呼んでいる。そして、地上放送受信アンテナと衛星放送受信用アンテナの受信信号が混合回路部で混合される場合は、電通ラインに混合回路部が含まれて、混合回路部を通過した電源電圧が衛星放送受信用アンテナに給電されるようになる。
【０００５】
地上デジタルテレビ放送と衛星放送とを受信したい場合は、地上放送受信アンテナと衛星放送受信用アンテナとを設置し、次いで、衛星放送受信用アンテナと地上放送受信アンテナとの間を同軸ケーブルで接続する。これにより、衛星放送受信用アンテナと地上放送受信アンテナとの受信信号を混合した受信信号が地上放送受信アンテナから出力される。この出力は、地上放送受信アンテナから導出された同軸ケーブルを伝達してテレビやレコーダに供給される。これら２つのアンテナの設置工事および同軸ケーブルの敷線工事が終了すると、地上放送受信アンテナと衛星放送受信用アンテナとの受信信号がテレビやレコーダで正常に受信できているかを確認することになる。ここで、正常に受信できていれば全ての施工工事は終了するが、正常に受信できない場合は、電通ラインに不具合があるのか他の箇所に不具合があるのかを判別して不具合の箇所を発見することになる。そして、不具合の箇所が発見されたら、その不具合を解消することにより正常に受信できるようになる。
しかしながら、正常に受信できない場合において、電通ラインに不具合があるのか他の箇所に不具合があるのかを判別する作業が繁雑になり、時間がかかるという問題点があった。
【０００６】
そこで、本発明は、電通ラインに不具合があるか否かを簡易に判別することができる受信アンテナを提供することを目的としている。
【課題を解決するための手段】
【０００７】
本発明の受信アンテナは、アンテナが内蔵されている筐体と、該筐体に設けられており、入力端子と出力端子とパイロットランプとを有し、前記アンテナの受信信号と、前記入力端子に供給された外部アンテナの受信信号とを混合して前記出力端子から出力する混合回路部と、前記出力端子に供給された電源電圧が、前記入力端子から出力される電通ラインとを備え、前記電通ラインに前記パイロットランプが接続されており、前記電源電圧が前記出力端子に供給された際に、前記パイロットランプが点灯することを最も主要な特徴としている。
【発明の効果】
【０００８】
本発明の受信アンテナは、電通ラインにパイロットランプが接続されており、電源電圧が出力端子に供給された際に、パイロットランプが点灯するようになる。これにより、パイロットランプの点灯／消灯を確認するだけで、電通ラインに不具合があるか否かを簡易に判別することができるようになる。
【図面の簡単な説明】
【０００９】
【図１】本発明の実施例の地上放送受信アンテナの構成を示す正面図である。
【図２】本発明の実施例の地上放送受信アンテナの構成を示す背面図である。
【図３】本発明の実施例の地上放送受信アンテナの構成を示す左側面図である。
【図４】本発明の実施例の地上放送受信アンテナの内部に組み込まれている地上放送受信アンテナ回路の回路ブロック図である。
【図５】本発明の実施例の地上放送受信アンテナの内部に組み込まれている他の地上放送受信アンテナ回路の回路ブロック図である。
【発明を実施するための形態】
【００１０】
本発明の実施例の地上放送受信アンテナ１の構成を図１ないし図３に示す。図１は地上放送受信アンテナ１の構成を示す正面図であり、図２は地上放送受信アンテナ１の構成を示す背面図であり、図３は地上放送受信アンテナ１の構成を示す左側面図である。
これらの図に示すように、地上放送受信アンテナ１は、背面が開放されて矩形の箱状とされ、前面の左寄りが上下にわたり若干前方へ尖るように突出した樹脂製の筐体１０と、筐体１０の開放された背面を閉塞するように筐体１０の背面に嵌合された背面板１１とを備えている。背面板１１は、取り外すことができるように筐体１０の背面に嵌合されて取り付けられており、背面板１１で筐体１０の背面が閉塞されることにより収納空間が内部に形成されて、地上デジタルテレビ放送を受信する地上放送アンテナ部が収納空間に収納されている。この地上放送アンテナ部は、限られた厚さの薄型アンテナとされて筐体１０の収納空間内に収納されている。
【００１１】
また、地上放送受信アンテナ１には図示しない衛星放送受信アンテナにより受信された衛星放送受信信号と、内蔵された地上放送受信アンテナで受信された地上放送受信信号とを混合する混合回路部１２が設けられている。混合回路部１２は、背面板１１に取り付けられているが、混合回路部１２を構成する混合回路は筐体１０と背面板１１とで形成される収納空間に収納され、混合回路部１２は背面板１１に設けられている。この混合回路部１２は、衛星放送受信信号が入力される入力端子１２ｂと、混合回路で混合された出力信号が出力される出力端子１２ｃとを備えている。入力端子１２ｂと出力端子１２ｃとは同軸コネクタで構成されている。また、混合回路部１２にはパイロットランプ（ＰＬ）１２ａが設けられており、ＰＬ１２ａは電通ラインを介して地上放送受信アンテナ１に電源電圧が到達している場合に点灯し、電源電圧が到達していない場合に消灯する。これにより、地上放送受信アンテナ１および衛星放送受信アンテナの設置作業や同軸ケーブルの敷設作業が終了した時に、ＰＬ１２ａの点灯／消灯を確認するだけで地上放送受信アンテナ１に電源電圧が到達しているか否かを確認すること、すなわち電通ラインが正常か否かを確認することができる。
【００１２】
なお、混合回路部１２は、図３に示すように上部より下部が後方へ突出するよう傾斜して設けられており、入力端子１２ｂと出力端子１２ｃとが背面板１１に対して傾斜して取り付けられている。このように、入力端子１２ｂと出力端子１２ｃとが傾斜して取り付けられていることから、入力端子１２ｂと出力端子１２ｃとに同軸ケーブルの先端に設けられた同軸プラグを装着する際に容易に装着することができる。また、背面板１１には地上放送受信アンテナ１をポールに取り付けたり、建物の壁面に取り付けるための取付具１３が備えられている。
【００１３】
次に、本発明の実施例の地上放送受信アンテナ１の内部に組み込まれている地上放送受信アンテナ回路２０の回路ブロック図を図４に示す。
図４に示す地上放送受信アンテナ回路２０において、混合回路部１２の混合回路は低域通過フィルタ（ＬＰＦ）１２ｄと高域通過フィルタ（ＨＰＦ）１２ｅとにより構成されている。混合回路部１２では、内蔵されている地上放送アンテナ部１４で受信された地上放送受信信号がＬＰＦ１２ｄの一端に供給され、入力端子１２ｂに入力された衛星放送受信アンテナにより受信された衛星放送受信信号がＨＰＦ１２ｅの一端に供給される。ＬＰＦ１２ｄの他端とＨＰＦ１２ｅの他端とは接続されて、その接続点から混合された受信信号が出力される。この接続点は出力端子１２ｃに接続されており、ＬＰＦ１２ｄとＨＰＦ１２ｅとにより構成された混合回路により混合された地上放送受信信号と衛星放送受信信号とが出力端子１２ｃから出力される。また、出力端子１２ｃには、出力端子１２ｃに接続されている同軸ケーブルから電源電圧が供給されており、この電源電圧はＬＰＦ１２ｄを通り入力端子１２ｂにつながる電通ラインにより入力端子１２ｂから出力される。
【００１４】
入力端子１２ｂには、一端が衛星放送受信アンテナに接続された同軸ケーブルの他端が接続されており、入力端子１２ｂから出力された電源電圧は、同軸ケーブルを介して衛星放送受信アンテナに供給される。これにより、衛星放送受信用アンテナのコンバータが動作するようになる。なお、ＬＰＦ１２ｄは直列にインダクタが設けられていることから直流の電源電圧が通過するが、ＨＰＦ１２ｅは直列にキャパシタが設けられていることから直流の電源電圧が通過することができない。そして、混合回路部１２においてＬＰＦ１２ｄの一端（入力端子１２ｂに接続されている端部）とアース間にはＬＥＤからなるＰＬ１２ａが接続されており、出力端子１２ｃに電源電圧が供給されている場合は、電通ラインからＰＬ１２ａに電源電圧が供給されるため、ＰＬ１２ａが点灯するようになる。これにより、地上放送受信アンテナ１および衛星放送受信アンテナの設置作業や同軸ケーブルの敷設作業が終了した時に、ＰＬ１２ａの点灯／消灯を確認して、ＰＬ１２ａが点灯している場合はテレビやレコーダから地上放送受信アンテナ１までの電通ラインを構成する同軸ケーブルの敷線作業に不具合がないことが判断できる。従って、衛星放送受信用アンテナの受信信号がテレビやレコーダで正常に受信できない場合に、ＰＬ１２ａの点灯／消灯を確認するだけで電通ラインに不具合があるのか他の箇所に不具合があるのかを容易に判別することができ、不具合の箇所を容易に発見することができるようになる。
【００１５】
次に、本発明の実施例の地上放送受信アンテナ１の内部に組み込まれている他の地上放送受信アンテナ回路２１の回路ブロック図を図５に示す。
図５に示す地上放送受信アンテナ回路２１では、内蔵されている地上放送アンテナ部１４で受信された地上放送受信信号は、地上放送増幅器１５で増幅されて混合回路部１２のＬＰＦ１２ｄの一端に供給され、入力端子１２ｂに入力された衛星放送受信アンテナにより受信された衛星放送受信信号は混合回路部１２のＨＰＦ１２ｅの一端に供給される。ＬＰＦ１２ｄの他端とＨＰＦ１２ｅの他端とは接続されて、その接続点から混合された受信信号が出力される。この接続点は出力端子１２ｃに接続されており、ＬＰＦ１２ｄとＨＰＦ１２ｅとにより構成された混合回路により混合された地上放送受信信号と衛星放送受信信号とが出力端子１２ｃから出力される。また、出力端子１２ｃには、出力端子１２ｃに接続されている同軸ケーブルから電源電圧が供給されており、この電源電圧はＬＰＦ１２ｄを通り入力端子１２ｂにつながる電通ラインにより入力端子１２ｂから出力される。さらに、ＬＰＦ１２ｄを通過した電源電圧は地上放送増幅器１５に動作電源電圧として供給されている。
【００１６】
入力端子１２ｂには、一端が衛星放送受信アンテナに接続された同軸ケーブルの他端が接続されており、入力端子１２ｂから出力された電源電圧は、同軸ケーブルを介して衛星放送受信アンテナに供給される。これにより、衛星放送受信用アンテナのコンバータが動作するようになる。そして、混合回路部１２においてＬＰＦ１２ｄの一端（入力端子１２ｂに接続されている端部）とアース間にはＬＥＤからなるＰＬ１２ａが接続されており、出力端子１２ｃに電源電圧が供給されている場合は、電通ラインからＰＬ１２ａに電源電圧が供給されるため、ＰＬ１２ａが点灯するようになる。これにより、地上放送受信アンテナ１および衛星放送受信アンテナの設置作業や同軸ケーブルの敷設作業が終了した時に、ＰＬ１２ａの点灯／消灯を確認して、ＰＬ１２ａが点灯している場合はテレビやレコーダから地上放送受信アンテナ１までの電通ラインを構成する同軸ケーブルの敷線作業に不具合がないことが判断できる。従って、地上放送アンテナ部１４と衛星放送受信用アンテナとの受信信号がテレビやレコーダで正常に受信できない場合に、ＰＬ１２ａの点灯／消灯を確認するだけで電通ラインに不具合があるのか他の箇所に不具合があるのかを容易に判別することができ、不具合の箇所を容易に発見することができるようになる。
【産業上の利用可能性】
【００１７】
上記の説明では、地上放送受信アンテナとしたが本発明は地上放送受信アンテナに限るものではなく、２つ以上のアンテナの受信信号を混合する受信アンテナに適用することができる。
以上説明した本発明の地上放送受信アンテナでは、パイロットランプを筐体の背面に設けるようにしたが、これに限ることはなく筐体の正面や側面等にパイロットランプを設けるようにしても良い。また、パイロットランプはＬＥＤに限らず他の発光素子としても良い。
【符号の説明】
【００１８】
１  地上放送受信アンテナ、１０  筐体、１１  背面板、１２  混合回路部、１２ａ  ＰＬ、１２ｂ  入力端子、１２ｃ  出力端子、１２ｄ  ＬＰＦ、１２ｅ  ＨＰＦ、１３  取付具、１４  地上放送アンテナ部、１５  地上放送増幅器、２０  地上放送受信アンテナ回路、２１  地上放送受信アンテナ回路
【図１】
2015046700.tif 000003
【図２】
2015046700.tif 000004
【図３】
2015046700.tif 000005
【図４】
2015046700.tif 000006
【図５】
2015046700.tif 000007